(57)【特許請求の範囲】
【請求項１】
トイレの便器に着脱自在に取付けることが出来かつ所定位置に水の噴出ノズルを有する補助便座本体と、洗浄用の水を貯留し得る水タンクと、及び電動ポンプと電源を内蔵した電動部材との組み合わせよりなる便座に於いて、使用者が尻部を乗せて重力がかかると水の噴出ノズルが開通して水を噴出することが出来るように構成された水噴出機能付き幼児用便座。
【請求項２】
前記補助便座本体の噴出ノズルが補助便座本体にかかる重力によって回動或いは移動して水噴出位置に突出させることによって噴出ノズルを開通することを可能とした請求項１の水噴出機能付き幼児用便座。
【請求項３】
前記補助便座本体の噴出ノズルの開口部に設けられたカバー、或いは該噴出ノズルの通路内に設けられた栓が補助便座本体にかかる重力によって移動して噴出ノズルを開通することを可能とした請求項１の水噴出機能付き幼児用便座。
【発明の詳細な説明】
【０００１】
【発明の属する技術分野】
本発明は幼児が簡単に使用することが出来る水洗式の便座に係り、特にトイレの便器に着脱自在に取付けることが出来、かつ人が座っていない状態で誤って電動ポンプの作動スイッチが押されても、水が噴出して飛散することがないように構成された水噴出機能付き幼児用便座に関するものである。
【０００２】
【従来の技術】
従来、幼児がトイレの便器に取付けて使用することが出来る幼児用便座としては、例えば特開平９−２１５６３４号公報、特公平８−１５４６９号公報、実公昭６３−３６１６０号公報、実公平５−４５２７５号公報、実開平６−１１５９３号公報等に示す技術が知られている。
【０００３】
【発明が解決しようとする課題】
然るに、前述の多くの技術に係る幼児用便座は、いずれもトイレの便器に着脱自在に取付けて幼児が使用することが出来る構造の便座ではあるが、幼児が用便をした後で、水でおしりを洗浄することが出来ない問題があった。
【０００４】
本発明に係る水噴出機能付き幼児用便座は、前述の問題に鑑み開発された全く新しい技術であって、特にトイレの便器に取付けて使用することが出来る補助便座本体に洗浄用の水を貯留し得る水タンクと、電動ポンプと電源等を内蔵した電動部材とを取付けることによって、幼児が用便後におしりを簡単な操作で洗浄することが出来るように構成し、更に幼児が座っていない時に誤って電動ポンプの作動スイッチが押されても、水が噴出して飛散することがないように構成した水噴出機能付き幼児用便座の技術を提供するものである。
【０００５】
【課題を解決するための手段】
本発明に係る水噴出機能付き幼児用便座は、前述の従来の問題点を根本的に改善した全く新しい発明であって、その第１発明の要旨は、トイレの便器に着脱自在に取付けることが出来かつ所定位置に水の噴出ノズルを有する補助便座本体と、洗浄用の水を貯留し得る水タンクと、及び電動ポンプと電源を内蔵した電動部材との組み合わせよりなる便座に於いて、使用者が尻部を乗せて重力がかかると水の噴出ノズルが開通して水を噴出することが出来るように構成された水噴出機能付き幼児用便座である。
【０００６】
前述の第１発明の水噴出機能付き幼児用便座に於いては、トイレの便器に着脱自在に取付けることが出来かつ所定位置に水の噴出ノズルを有する補助便座本体と、洗浄用の水を貯留し得る水タンクと、及び電動ポンプと電源とを内蔵した電動部材とを組み合わせて構成したので、これ等の補助便座本体と水タンクと及び電動部材とを夫々別々に作成することが出来、かつこれ等を一体的に組立てることによって水洗用便座として使用することが出来る。
【０００７】
さらに、使用者が尻部を乗せて重力がかかった際に始めて水の噴出ノズルが開通するように構成したので、人が座っていない状態では誤って電動ポンプの作動スイッチが押されても、水が噴出して飛散することがない。
【０００８】
本発明に係る水噴出機能付き幼児用便座の第２発明の要旨は、前記補助便座本体の噴出ノズルが補助便座本体にかかる重力によって回動或いは移動して水噴出位置に突出させることによって噴出ノズルを開通することを可能とした第１発明の水噴出機能付き幼児用便座である。
【０００９】
前述の第２発明に於いては、前記補助便座本体に設けられた噴出ノズルが補助便座本体にかかる重力によって回動し、或いは移動して水噴出位置に突出させて噴出ノズルを開通するように構成したので、補助便座本体に重力がかかった場合に始めて内蔵されていた噴出ノズルが水噴出位置に突出すると共に、この噴出ノズルを開通して噴出することが出来る。
【００１０】
本発明に係る水噴出機能付き幼児用便座の第３発明の要旨は、前記補助便座本体の噴出ノズルの開口部に設けられたカバー、或いは該噴出ノズルの通路内に設けられた栓が補助便座本体にかかる重力によって移動して噴出ノズルを開通することを可能とした請求項１の水噴出機能付き幼児用便座である。
【００１１】
前述の第３発明に於いては、補助便座本体の噴出ノズルの所定位置に設けたカバー或いは栓が補助便座本体にかかる重力によって移動して噴出ノズルを開通するように構成したので、補助便座本体に重力がかかった場合に始めて噴出ノズルより水を噴出することが出来る。
【００１２】
【発明の実施の形態】
図により本発明に係る水噴出機能付き幼児用便座の一実施例を具体的に説明すると、図１は本発明に係る水噴出機能付き幼児便座の斜視説明図、図２は図１の水噴出機能付き幼児用便座内の要部の縦断面説明図、図３（ａ），（ｂ）は噴出ノズルが補助便座本体内に収納されている状態の説明図、図４（ａ），（ｂ）は前記噴出ノズルが補助便座本体の外方に突出された状態の説明図である。
【００１３】
図１乃至図４（ａ），（ｂ）に於いて、１は本発明に係る水噴出機能付幼児用便座であって、建築物内に取付けられたトイレの便器（図示せず）に着脱自在に取付けることが出来る補助便座本体２と、洗浄用の水を貯留し得る水タンク３と、後述の電動ポンプと電源とを内蔵した電動部材４とを組み合わせることによって構成されている。
【００１４】
前記補助便座本体２の所定位置には、水を噴出することが出来る噴出ノズル５が突設されている。この補助便座本体２は、前述の従来の幼児用便座と同様に、トイレの便器に簡単かつ安定した状態で取付けて使用することが出来るように構成されている。
【００１５】
水タンク３は透明或いは半透明のプラスチック容器より形成されており、その底部には特に図２に示す如く、底蓋６が螺合されて取付けられている。この水タンク３の下部は、電動部材４の上部に設けられた水タンク受凹部７に着脱自在に嵌着されている。
【００１６】
前記水タンク３の底蓋６には、下部にスプリング８を有する弁座９が昇降自在に取付けられており、図２に示す如く、この弁座９が下方の水タンク受凹部７より起立突設された突起１０によって押された場合には、弁座９が上昇して弁部を開き、水タンク３内の水を下方向に流下し得るように構成されている。
【００１７】
電動部材４の外部には幼児がつかまることが出来る手摺り１１が起立されている。また、この電動部材４内には、特に図２に示す如く、図示しないモーターによって駆動される電動ポンプ１２と、前記水タンク受凹部７より水路１３を通って流れて来る水を該電動ポンプ１２に送ることが出来る水弁１４と、この水弁１４を作動するための後述の装置と、電池１５とが内蔵されている。
【００１８】
前記水弁１４には軸棒１６が垂直に取付けられており、この軸棒１６が下降することによって水弁１４が開き、水が電動ポンプ１２内に落下供給されるように構成されている。この軸棒１６の外周にはコイルスプリング１７が取付けられており、このコイルスプリング１７で一旦下降した軸棒１６を自動的に上昇せしめ、水弁１４を閉じることが出来るように構成されている。
【００１９】
また、前記軸棒１６の周りにはスイッチ１８が設けられており、該軸棒１６の上端部に被覆された押ボタン１６ａを押圧して軸棒１６を下降させて水弁１４を開いた場合には、前記スイッチ１８に通電させて電動ポンプ１２を作動させて、該電動ポンプ１２に連結されたホース１９を通って電動ポンプ１２内の水を前記補助便座本体２に設けられた噴出ノズル５より噴出することが出来るように構成されている。
【００２０】
前記水弁１４を下部に有する軸棒１６、コイルスプリング１７、スイッチ１８等は夫々種々のネジ等によって電動部材４内に収納されたシリンダー内で作動し得る如く構成されているが、その詳細は図２に示す通りであるので細かい説明は省略する。
【００２１】
また、前記ホース１９の途中には、水抜き弁２０が取付けられている。この水抜き弁２０は、水圧がかかった場合には下部の弁が閉じて水を通過し、水圧が無くなった場合には、下部の弁が開いてホース１９及び水抜き弁２０内に残留する水滴を下方に排出することが出来るように構成されている。
【００２２】
前述のように組立構成された水噴出機能付き幼児用便座１に於いては、水タンク３を電動部材４の水タンク受凹部７より抜き取ることによって切り離すことが出来るように構成されている。従って、この水タンク３は自由に持ち歩くことが出来、これによって水の補給を容易にすることが出来る。
【００２３】
また、前記補助便座本体２は、これに連結されているホース１９を電動部材４の電動ポンプ１２より抜き取ることによって、電動部材４より分離することが出来るように構成されている。従って、補助便座本体２は水に弱い電動部材４から切り離すことによって、この補助便座本体２を丸洗いすることが出来る。
【００２４】
上記実施例に於いては、水タンク３と電動部材４とを補助便座本体２の前部に取付けて構成したが、これ等の水タンク３と電動部材４とは補助便座本体２の後部に取付けて構成することも可能である。
【００２５】
続いて、図２乃至図４（ａ），（ｂ）に於いて、前記噴出ノズル５は、補助便座本体２に回動自在に内蔵されている。そして通常は、特に図３（ａ），（ｂ）に示すように噴出ノズル５の噴出口５ａが補助便座本体２内に完全に挿入されてその補助便座本体２の壁面で閉鎖されている。次に補助便座本体２に重力がかかった場合には、特に図４（ａ），（ｂ）に示すように、噴出ノズル５が回動して噴出口５ａが補助便座本体２の外方に露出し、この噴出口５ａから水を噴出することが出来るように構成されている。
【００２６】
前記噴出ノズル５の回動の原理の一例を図により説明すると次の通りである。即ち、補助便座本体２の噴出ノズル５の周りにはコイルスプリング２１が設けられており、トイレの便器２２上に補助便座本体２を載置した場合には、コイルスプリング２１の下面が便器２２上に当接されており、補助便座本体２に重力がかかった場合にはコイルスプリング２１の作用によって、補助便座本体２が下降するように構成されている。
【００２７】
また、前記噴出ノズル５には軸２３を支点として作動する板バネ２４が取付けられており、前記コイルスプリング２１の作用で補助便座本体２が下降した場合には、該板バネ２４が作動して、噴出ノズル５が軸２３を中心にして回動し得るように構成されている。
【００２８】
従って、人が補助便座本体２に座って用便しようとする場合は、人の重力によって補助便座本体２が下降し、これによって板バネ２４の作用によって噴出ノズル５が軸２３を中心にして回動して、噴出ノズル５の噴出口５ａを補助便座本体２の外方に露出し、これによって噴出ノズル５より水を噴出して尻部を洗浄することが出来る。
【００２９】
前記実施例の場合には、噴出ノズル５を回動することによって、その噴出ノズル５の噴出口５ａを露出して、噴出ノズル５を開通するようにしたが、他の機構を採用することによって、噴出ノズル５を移動させ、これによって噴出ノズル５を開通して使用することも可能である。
【００３０】
更に、前記実施例は噴出ノズル５を回動或いは移動させることによって、噴出ノズル５を開通するように構成したが、噴出ノズル５はそのまま固定しておき、噴出口５ａに図示しないカバーを設けたり、或るいは噴出ノズル５の通路内にこの通路を開閉し得る栓を設け、これ等のカバー或いは栓を移動させることによって、噴出ノズル５を開通したり、閉鎖したりすることも可能である。
【００３１】
【発明の効果】
本発明に係る水噴出機能付き幼児用便座は前述のように、トイレの便器に着脱自在に取付けることが出来かつ所定位置に水の噴出ノズルを有する補助便座本体と、洗浄用の水を貯留し得る水タンクと、及び電動ポンプと電源とよりなる電動部材とを組み合わせて構成したので、これ等の補助便座本体と水タンクと及び電動部材とを夫々別々に作成することが出来、かつこれ等を一体的に組立てることによって水洗用便座として使用することが出来る等の多大な効果を有している。
【００３２】
かつ、使用者が尻部を乗せて重力がかかった際に始めて水の噴出ノズルが開通するように構成したので、人が座っていない状態では誤って電動ポンプの作動スイッチが押されても、水が噴出して飛散することがない等の効果を有している。
【００３３】
また、前記補助便座本体に設けられた噴出ノズルが補助便座本体にかかる重力によって回動し、或いは移動して水噴出位置に突出させて噴出ノズルを開通するように構成した場合には、補助便座本体に重力がかかった場合に始めて内蔵されていた噴出ノズルが水噴出位置に突出すると共に、この噴出ノズルを開通して噴出することが出来る等の効果を有している。
【００３４】
さらに、補助便座本体の噴出ノズルの所定位置に設けたカバー或いは栓が補助便座本体にかかる重力によって移動して噴出ノズルを開通するように構成した場合には、補助便座本体に重力がかかった場合に始めて噴出ノズルより水を噴出することが出来る等の効果を有している。
【図面の簡単な説明】
【図１】本発明に係る水噴出機能付き幼児用便座の斜視説明図である。
【図２】図１の水噴出機能付き幼児用便座内の要部の縦断面説明図である。
【図３】図３（ａ），（ｂ）は噴出ノズルが補助便座本体内に収納されている状態の説明図である。
【図４】図４（ａ），（ｂ）は前記噴出ノズルが補助便座本体の外方に突出された状態の説明図である。
【符号の説明】
１            水噴出機能付き幼児用便座
２            補助便座本体
３            水タンク
４            電動部材
５            噴出ノズル
５ａ          噴出口
６            底蓋
７            水タンク受凹部
８            スプリング
９            弁座
１０          突起
１１          手摺
１２          電動ポンプ
１３          水路
１４          水弁
１５          電池
１６          軸棒
１７          コイルスプリング
１８          スイッチ
１９          ホース
２０          水抜き弁
２１          コイルスプリング
２２          便器
２３          軸
２４          板バネ
【図１】
0004387529.tif 000002
【図２】
0004387529.tif 000003
【図３】
0004387529.tif 000004
【図４】
0004387529.tif 000005